(57)【特許請求の範囲】
【請求項１】
延在する冷媒配管および電気配線を収納するピットを形成した床面上であって、かつ前記ピットの延在方向に沿って前記ピットの上方を覆うように設置され、外箱と内箱とで構成されるショーケース本体を具え、前記外箱と前記内箱とで画成された空間に通風路を形成し、該通風路内に、空気を一方向に流動させる送風装置および空気を冷却する冷却装置を有し、前記内箱の外面側に、外方に開放された開口スペースを形成した冷凍冷蔵室を有する冷凍冷蔵ショーケースの床面への設置構造において、
該冷凍冷蔵ショーケースは、前記ショーケース本体の少なくとも左右両側端部の、それぞれ前記ピットの上方領域を除く前後両側領域の下面位置に、前記ピットの延在方向に所定の間隔をあけて対をなす分割台脚を有することを特徴とする冷凍冷蔵ショーケースの床面への設置構造。
【請求項２】
前記分割台脚は、
前記ショーケース本体に連結される天板部と、
前記床面に設置される底板部と、
前記天板部および前記底板部を連結する側板部と
を有し、前記天板部、前記側板部および前記底板部の断面形状が、全体として略横Ｕ字状をなす請求項１に記載の冷凍冷蔵ショーケースの床面への設置構造。
【請求項３】
前記分割台脚は、鋼板に１回のプレス成型加工または複数回の折り曲げ加工を施して前記天板部、前記側板部および前記底板部を一体形成してなる請求項２に記載の冷凍冷蔵ショーケースの床面への設置構造。
【請求項４】
前記分割台脚は、一体形成した、前記天板部、前記側板部および前記底板部の隣り合う板部同士をさらに溶接してなる請求項３に記載の冷凍冷蔵ショーケースの床面への設置構造。
【請求項５】
前記分割台脚は、前記冷凍冷蔵ショーケースの設置位置および設置高さを調整するリフトアップ機の持上げ先端部の挿入を可能にするため、前記側板部に、スリットまたは凹部を形成してなる請求項２〜４のいずれか１項に記載の冷凍冷蔵ショーケースの床面への設置構造。
【請求項６】
前記ショーケース本体の少なくとも左右両側端部の下面部に、前記ショーケース本体の前後方向に延びる少なくとも１個の長孔または前記前後方向に間隔をおいて形成した複数個の孔を有する請求項１〜５のいずれか１項に記載の冷凍冷蔵ショーケースの床面への設置構造。
【請求項７】
外箱と内箱とで画成された空間に通風路を形成し、該通風路内に、空気を一方向に流動させる送風装置および空気を冷却する冷却装置を有し、前記内箱の外面側に、外方に開放された開口スペースを形成した冷凍冷蔵室を有するショーケース本体を具える複数台の冷凍冷蔵ショーケースを、延在する冷媒配管および電気配線を収納するピットを形成した床面上であって、かつ前記ピットの延在方向に沿って前記ピットの上方を覆うように設置して、前記ショーケース本体が左右方向に連設した冷凍冷蔵ショーケース群を構成するための冷凍冷蔵ショーケースの設置方法であって、
該冷凍冷蔵ショーケースは、前記ショーケース本体の少なくとも左右両側端部の、それぞれ前記ピットの上方領域を除く前後両側領域の下面位置に、前記ピットの延在方向に所定の間隔をあけて対をなす分割台脚を有し、
前記冷凍冷蔵ショーケース群を構成する全ての冷凍冷蔵ショーケースのショーケース本体の下面と前記床面との間を、前記ピットの延在方向に沿って眺めたとき、前記ピットと前記ショーケース本体の下面との間に、前記ピットを横切る部材が存在することなしに貫通空間を形成することを特徴とする冷凍冷蔵ショーケースの設置方法。
【発明の詳細な説明】
【技術分野】
【０００１】
本発明は、例えばスーパーマーケットや大型コンビニエンスストア等の食品売り場において、生鮮食料品や冷凍食品等を陳列するために用いられる冷凍冷蔵ショーケースおよびその設置方法に関する。
【背景技術】
【０００２】
例えばスーパーマーケットや大型コンビニエンスストア等の食品売り場に配置される従来の冷凍冷蔵ショーケースは、いわゆる別置型ケースと呼ばれ、通常、圧縮機、凝縮器、減圧装置、凝縮器用送風機を含む冷凍装置を、顧客から見えない場所、例えばバックヤードの奥、あるいは食品売り場と同一の建屋内の、食品売り場から離れた場所に設置するのが一般的である。この場合、冷凍装置と冷凍冷蔵ショーケースとの間には、冷媒を循環させるための冷媒配管（例えばサクション管やリキット管等）や、冷凍冷蔵ショーケースに電力を供給するための電気配線を延在させる必要がある。これらの冷媒配管や電気配線は、通常、床面に形成されたピット内を通じて延在するように設けられ、冷凍冷蔵ショーケースは、食品売り場にてピットの上方を覆うように載置され、ピット内の冷媒配管は、冷凍冷蔵ショーケースに形成した冷媒配管口を通じてショーケース本体内の冷却装置に接続されるとともに、ピット内の電気配線は、冷凍冷蔵ショーケースに形成した電線貫通口を通じてショーケースの電気配線と接続される。
【０００３】
また、従来の冷凍冷蔵ショーケースは、例えばフォークリフト等で持ち上げて搬送したり、配管を設置したりする際の作業をしやすくする等の理由から、ショーケース本体の下面の左右両側端部に一対の台脚を設けて、食品売り場の床面との間に所定高さ寸法をもつ床上空間を形成するのが一般的である。しかしながら、前記台脚は、特に冷凍冷蔵ショーケースの下面と床面のピット上方領域との間に存在するピット上方空間を有効に利用する観点から、ピットの配設位置および配設寸法を考慮して配設形状の適正化を図った公知文献は見当たらない。
【０００４】
従来の冷凍冷蔵ショーケースの台脚としては、例えば特許文献１に、低温ショーケースの本体の下面の左右両端部のそれぞれに、床面のピットの上方領域を横切るようにショーケース本体の前後方向に連続して延びる単一の台脚を固定連結した構成が開示されている。
【０００５】
しかしながら、特許文献１に記載の低温ショーケースのように、床面のピットを横切るようにショーケース本体に台脚（特許文献１に示されている台脚と類似する配設形状として、図５および図６の台脚６８を参照。）を設けると、ショーケース本体の下面と、床面のピットの上方領域との間に存在するピット上方空間が、ショーケース本体の左右両端部に取り付けた一対の台脚によって仕切られてしまうため、ショーケース本体の下面に位置するピット内に冷媒配管や電気配線を新たに配設するための新設作業や、既にピット内に配設されている、冷媒配管からの漏れ等の不具合の点検、冷媒配管の交換等のメンテナンス作業を行なう場合に、ピット内の冷媒配管等を、作業者が視認できるピット上方空間の位置まで持ち上げることは難しく、作業性が劣るという問題があった。
【先行技術文献】
【特許文献】
【０００６】
【特許文献１】特開２０００−２８３６４５号公報
【発明の概要】
【発明が解決しようとする課題】
【０００７】
本発明の目的は、延在する冷媒配管および電気配線を収納するピットを形成した床面上であって、かつピットの延在方向に沿ってピットの上方を覆うように載置されるショーケース本体の下面に設ける台脚の適正化を図ることにより、ピット内の冷媒配管や電気配線等を、作業者が視認できるピット上方空間の位置まで持ち上げることができ、ピット内に冷媒配管や電気配線を新たに配設するための新設作業や、既にピット内に配設されている、冷媒配管からの漏れ等の不具合の点検、冷媒配管の交換等のメンテナンス作業を行なうことが容易な冷凍冷蔵ショーケースおよびその設置方法を提供することにある。
【課題を解決するための手段】
【０００８】
上記目的を達成するため、本発明の要旨構成は以下の通りである。
（１）延在する冷媒配管および電気配線を収納するピットを形成した床面上であって、かつ前記ピットの延在方向に沿って前記ピットの上方を覆うように設置され、外箱と内箱とで構成されるショーケース本体を具え、前記外箱と前記内箱とで画成された空間に通風路を形成し、該通風路内に、空気を一方向に流動させる送風装置および空気を冷却する冷却装置を有し、前記内箱の外面側に、外方に開放された開口スペースを形成した冷凍冷蔵室を有する冷凍冷蔵ショーケースにおいて、該冷凍冷蔵ショーケースは、前記ショーケース本体の少なくとも左右両側端部の、それぞれ前記ピットの上方領域を除く前後両側領域の下面位置に、対をなす分割台脚を有することを特徴とする冷凍冷蔵ショーケース。
【０００９】
（２）前記分割台脚は、前記ショーケース本体に連結される天板部と、前記床面に設置される底板部と、前記天板部および前記底板部を連結する側板部とを有し、前記天板部、前記側板部および前記底板部の断面形状が、全体として略横Ｕ字状をなす上記（１）に記載の冷凍冷蔵ショーケース。
【００１０】
（３）前記分割台脚は、鋼板に1回のプレス成型加工または複数回の折り曲げ加工を施して前記天板部、前記側板部および前記底板部を一体形成してなる上記（２）に記載の冷凍冷蔵ショーケース。
【００１１】
（４）前記分割台脚は、一体形成した、前記天板部、前記側板部および前記底板部の隣り合う板部同士をさらに溶接してなる上記（３）に記載の冷凍冷蔵ショーケース。
【００１２】
（５）前記分割台脚は、前記冷凍冷蔵ショーケースの設置位置および設置高さを調整するリフトアップ機の持上げ先端部の挿入を可能にするため、前記側板部にスリットまたは凹部を形成してなる上記（２）〜（４）のいずれか１項に記載の冷凍冷蔵ショーケース。
【００１３】
（６）前記ショーケース本体の少なくとも左右両側端部の下面部に、前記ショーケース本体の前後方向に延びる少なくとも１個の長孔または前記前後方向に間隔をおいて形成した複数個の孔を有する上記（１）〜（５）のいずれか１項に記載の冷凍冷蔵ショーケース。
【００１４】
（７）外箱と内箱とで構成されるショーケース本体を具え、前記外箱と前記内箱とで画成された空間に通風路を形成し、該通風路内に、空気を一方向に流動させる送風装置および空気を冷却する冷却装置を有し、前記内箱の外面側に、外方に開放された開口スペースを形成した冷凍冷蔵室を有する複数台の冷凍冷蔵ショーケースを、延在する冷媒配管および電気配線を収納するピットを形成した床面上であって、かつ前記ピットの延在方向に沿って前記ピットの上方を覆うように設置して、前記ショーケース本体が左右方向に連設した冷凍冷蔵ショーケース群を構成するための冷凍冷蔵ショーケースの設置方法であって、該冷凍冷蔵ショーケースは、前記ショーケース本体の少なくとも左右両側端部の、それぞれ前記ピットの上方領域を除く前後両側領域の下面位置に、対をなす分割台脚を有し、前記冷凍冷蔵ショーケース群を構成する全ての冷凍冷蔵ショーケースのショーケース本体の下
面と前記床面との間を、前記ピットの延在方向に沿って眺めたとき、前記ピットと前記ショーケース本体の下面との間に、前記ピットを横切る部材が存在することなしに貫通空間を形成することを特徴とする冷凍冷蔵ショーケースの設置方法。
【発明の効果】
【００１５】
本発明によれば、延在する冷媒配管および電気配線を収納するピットを形成した床面上であって、かつ前記ピットの延在方向に沿って前記ピットの上方を覆うように載置され、外箱と内箱とで画成された空間に通風路を形成し、この通風路内に、空気を一方向に流動させる送風装置および空気を冷却する冷却装置を有し、内箱の外面側に、外方に開放された開口スペースを形成した冷凍冷蔵室を有するショーケース本体を具え、この冷凍冷蔵ショーケースは、そのショーケース本体の少なくとも左右両側端部の、それぞれピットの上方領域を除く前後両側領域の下面位置に、対をなす分割台脚を有することによって、ピット内の冷媒配管や電気配線等を、作業者が視認できるピット上方空間の位置まで持ち上げることができ、ピット内に冷媒配管や電気配線を新たに配設するための新設作業や、既にピット内に配設されている、冷媒配管からの漏れ等の不具合の点検、冷媒配管の交換等のメンテナンス作業を行なうことが容易な冷凍冷蔵ショーケースを提供することが可能になった。
【図面の簡単な説明】
【００１６】
【図１】図１は、本発明に従う代表的な冷凍冷蔵ショーケースを示す概略縦断面図であって、ピットを有する床面上に設置した状態で示す。
【図２】図２は、図１に示す冷凍冷蔵ショーケースを下面側から眺めたときの平面図であって、この冷凍冷蔵ショーケースを所定の床面上に載置したときの、ピットの上方領域と、前記上方領域を除く前後両側領域の位置関係を併せて示す。
【図３】図３は、図１に示す冷凍冷蔵ショーケースの分割台脚を内面側から眺めたときの拡大斜視図である。
【図４】図４は、他の実施形態である分割台脚の側板部の形状を示す平面図である。
【図５】図５は、比較例の冷凍冷蔵ショーケースを示す概略縦断面図であって、ピットを有する床面上に設置した状態で示す。
【図６】図６は、図５に示す冷凍冷蔵ショーケースを下面側から眺めたときの平面図であって、この冷凍冷蔵ショーケースを所定の床面上に載置したときの、ピットの上方領域と、前記上方領域を除く前後両側領域の位置関係を併せて示す。
【発明を実施するための形態】
【００１７】
次に、本発明の実施形態について図面を参照しながら以下で説明する。
図１は、本発明に従う代表的な冷凍冷蔵ショーケースを概略断面で示したものであって、ピットを有する床面上の設置すべき位置に載置（設置）した状態で示し、また、図２は、図１に示す冷凍冷蔵ショーケースのショーケース本体を下面側から眺めたときのものであって、このショーケースを所定の床面上に設置したときの、ピットの上方領域と、この上方領域を除く前側領域および後側領域の位置関係を、説明の便宜上、ショーケースの下面に投影して併せて示したものである。
【００１８】
図１および図２に示す冷凍冷蔵ショーケース１０は、主にスーパーマーケットや大型コンビニエンスストア等の食品等を取り扱う販売店舗に設置され、商品を低温に保ったまま保冷（冷蔵）し、または冷凍した状態で陳列するために設置されるショーケースであって、特に、圧縮機、凝縮器、減圧装置、凝縮器用送風機を含む冷凍装置（いずれも図示せず）を、顧客から見えない場所、例えばバックヤードの奥、あるいは食品売り場と同一の建屋内の、食品売り場から離れた場所に設置した、いわゆる別置型ケースと呼ばれる冷凍冷蔵ショーケースであり、ピット１２を形成した床面１４（特に食品売り場の床面）上であって、かつピット１２の延在方向Ｌ（図２では、前記延在方向Ｌを、説明の便宜上、床面
１４に設置したショーケース本体２０の下面２０ａに投影して示す。）に沿ってピット１２の上方を覆うように設置されている。
【００１９】
この冷凍冷蔵ショーケース１０は、略横Ｕ字状をなす断熱構造の外箱１６と、その内方に位置し、同じく略横Ｕ字状をなす内箱１８とで構成されたショーケース本体２０を具えている。
【００２０】
図示のショーケース本体２０は、外箱１６と内箱１８とで内部空間Ｓ１を画成し、この内部空間Ｓ１に通風路２２を形成し、この通風路２２内には、その底部に、空気を一方向（図１の矢印Ｆの方向）に流動させるための送風装置２４（例えば送風ファン）を設けるとともに、送風装置２４から送り込まれた空気（または温度上昇した冷気）を冷却するための冷却装置２６（例えば蒸発器）を、送風装置２４の後方側の垂直部に設け、さらに、内箱１８の外面（ショーケースの前面）１８ａ側には、外方に開放された開口スペースＳ２を形成した冷凍冷蔵室２８を有し、この冷凍冷蔵室２８の開口スペースＳ２には、商品（図示せず）を陳列するため、内箱１８を構成する背面板に上下複数段の棚板３０、図１では３段の棚板３０ａ、３０ｂ、３０ｃが設けられている他、ショーケース本体２０の内箱１８を構成する底板３２の上面上にも陳列用トレイを設けて、多数の商品（図示せず）を陳列することができるように構成した場合を示している。さらに、各棚板３０ａ、３０ｂ、３０ｃの裏面には、光を照射して陳列した商品を見やすくするため、蛍光灯などの照明器具３４が取り付けられている。
【００２１】
なお、本実施形態を説明するにあたり、以下では、冷凍冷蔵ショーケース１０を図１に示す状態で見て、手前正面側をショーケース１０の右方とし、奥行き側をショーケース１０の左方とし、冷凍冷蔵室２８の開口スペースＳ２側（図１で左側）をショーケース１０の前方とし、ショーケース本体２０を構成する外箱１６の外面側（図１で右側）をショーケース１０の後方として説明する。
【００２２】
また、図示の冷凍冷蔵ショーケース１０は、ショーケース本体２０の上部の前端には、通風路２２に連通する冷気吹出口３６、図１では前後方向に並置した２列の冷気吹出口３６、３６が下向きに形成され、また、ショーケース本体２０の下部の前方上端には、通風路２２と連通する開口である空気吸込口３８が設けられている。加えて、図１では、ショーケース本体２０の上部前端側に位置する冷気吹出口３６の前後に、冷蔵冷凍室２８内を明るくするための蛍光灯などの照明器具３４、３４が設けられていると共に、冷気吹出口３６のさらに前端側には、営業時間外に冷蔵冷凍室２８の開口スペースＳ２を塞ぐナイトカバー（図示せず）を収納するオーバキャノピ３９が設けられている。
【００２３】
そして、送風装置２４を作動させると、冷却装置２６により冷却された冷気は、通風路２２内を矢印Ｆで示す上方に向かって流れ、ショーケース本体２０の上部前端に設けられた冷気吹出口３６より、下部前端に設けられた吸込口３８に向かって下方に吹き出され、これにより、ショーケース本体２０の開口スペースＳ２の開放面を、冷気のエアカーテンで覆うとともに、その冷気の一部が冷凍冷蔵室２８内に流入することにより、陳列商品が保冷されるようになっており、冷気は、通風路２２と冷凍冷蔵室２８との間で循環するように構成されている。
【００２４】
ピット１２は、食品売り場が位置する床１４に形成された、床面１４から掘り下げた溝のことであって、冷凍装置（図示せず）と冷凍冷蔵ショーケース１０との間で冷媒を循環するための冷媒配管４０（例えば凝縮器からショーケース１０に冷媒を輸送供給するための管路となるリキッド管４０ａ、およびショーケース１０から冷凍装置に冷媒を返送するための管路となるサクション管４０ｂ）や、冷凍冷蔵ショーケース１０に電力を供給するための電気配線４２を、収容しかつ床面１４よりも下方位置にて延在させるために形成さ
れている。ピット１２内の冷媒配管４０は、冷凍冷蔵ショーケース１０に形成した冷媒配管口６４を通じてショーケース本体２０内の冷却装置２６に接続されるとともに、ピット１２内の電気配線４２は、冷凍冷蔵ショーケース１０に形成した電線貫通口６６を通じてショーケース１０の電気配線と接続される。
【００２５】
本発明の構成上の主な特徴は、延在する冷媒配管４０および電気配線４２を収納するピット１２を形成した床面１４上であって、かつピット１２の延在方向Ｌに沿ってピット１２の上方を覆うように設置（載置）されるショーケース本体２０の下面２０ａに設ける台脚の適正化を図ることにあり、より具体的には、冷凍冷蔵ショーケース１０が、ショーケース本体２０の少なくとも左右両側端部の、それぞれピット１２の上方領域４４を除く前側領域４６および後側領域４８の下面２０aの位置に、対をなす分割台脚５０ａ、５０ｂ、図１では１対の分割台脚５０ａ、５０ｂを有することにあり、さらに詳細に言えば、冷凍冷蔵ショーケース１０を構成するショーケース本体２０の下面２０ａと床面１４との間を、ピット１２の延在方向Ｌ（図１では紙面に対し直交する方向）に沿って眺めたとき、ピット１２とショーケース本体２０の下面２０ａとの間に、ピット１２を横切る部材、例えば、図５に示す配設形状をもつ台脚６８などが存在することなしに貫通空間（図１のピット上方空間Ｓ３と同じ。）を形成するように、対をなす分割台脚５０ａ、５０ｂを配置することにあり、かかる構成を採用することによって、ピット１２内の冷媒配管４０や電気配線４２等を、作業者が視認できるピット上方空間Ｓ３まで持ち上げることができ、ピット１２内に冷媒配管４０や電気配線４２を新たに設置のための新設作業や、既にピット１２内に配設されている冷媒配管４０からの漏れ等の不具合の点検、冷媒配管４０の交換等のメンテナンス作業を行なうことが容易な冷凍冷蔵ショーケースを提供することができる。
【００２６】
図３は、図１に示す冷凍冷蔵ショーケース１０の分割台脚５０ａ、５０ｂを内面側から斜めに眺めたときのものである。図示の分割台脚５０ａ、５０ｂは、ショーケース本体２０に連結される天板部５２と、床面１４に設置（載置）される底板部５４と、天板部５２および底板部５４を連結する側板部５６とを有し、天板部５２、側板部５６および底板部５４の断面形状が、全体として略横Ｕ字状をなす場合が示されているが、かかる形状だけには限定されない。なお、図１に示す分割台脚５０ａ、５０ｂは、ショーケース本体２０の前側領域４６と後側領域４８の下面位置に、各１つずつ設けた場合を示しているが、各２個以上設けてもよい。
【００２７】
また、分割台脚５０ａ、５０ｂの形成方法としては、例えば図３に示すように、複数回の折り曲げ加工を施して天板部５２、側板部５６および底板部５４を一体形成するか、あるいは、図４に示すように、鋼板に1回のプレス成型加工を施して天板部５２、側板部５６および底板部５４を一体形成する方法を挙げることができる。
【００２８】
加えて、分割台脚５０ａ、５０ｂは、図３に示すように、天板部５２、側板部５６および底板部５４の各板の両端部に、それぞれ内側に曲げたフランジ部５２a、５４a、５６aを形成し、天板部５２、側板部５６および底板部５４を一体形成後、隣り合う板部５２と５６および５４と５６のフランジ部５２aと５６aおよび５４aと５６a同士をさらに溶接して溶接部５８を形成することが、分割脚部５０ａ、５０ｂの強度を向上させることができる点でより好適である。
【００２９】
さらに、他の実施形態として、分割台脚５０ａ、５０ｂは、冷凍冷蔵ショーケース１０の設置位置および設置高さを調整するため、図示しないリフトアップ機を用い、リフトアップ機の持上げ先端部の挿入を可能にするため、側板部５６にスリット６０（図３）または凹部６２（図４）を形成することが好ましい。リフトアップするための器具としては、公知のものを使用すればよく特に限定はしないが、例えば、特許第５５９７７５５号公報
に記載されているボードリフトアップ機や、特開２００４−２９３０３３号公報に記載されているボードリフタのような器具が挙げられる。
【００３０】
また、冷凍冷蔵ショーケース１０の設置位置は、通常、床面１４に形成されたピット１２の配設位置との関係で、レイアウト等を考案する設計段階で既に決まっている場合が多いため、ショーケース本体２０に取り付ける分割台脚５０ａ、５０ｂの位置は、固定でも構わないが、その後のレイアウト変更によって、ピットの配設位置および配設寸法が変更になる場合がある。かかる場合には、冷凍冷蔵ショーケース１０は、ショーケース本体２０の少なくとも左右両側端部の下面部２０ａに、ショーケース本体２０の前後方向に延びる少なくとも１個の長孔または前後方向に間隔をおいて形成した複数個の孔を形成することが好ましい。かかる構成にすれば、仮にレイアウト変更によって、ピットの配設位置および配設寸法が変更になったとしても、分割台脚５０ａ、５０ｂを、それぞれピット１２の上方領域４４を除く前側領域４６および後側領域４８に適正に配置することが可能になる。
【００３１】
また、本発明の冷凍冷蔵ショーケース１０の設置方法は、複数台の冷凍冷蔵ショーケース１０、１０、・・・を、ピット１２の上方を覆うように設置（載置）して、ショーケース本体２０が左右方向（横並び）に連設した冷凍冷蔵ショーケース群（図示せず）を構成するように設置する方法であって、冷凍冷蔵ショーケース１０は、ショーケース本体２０の少なくとも左右両側端部の、それぞれピット１２の上方領域４４を除く前後両側領域４６、４８の下面２０ａの位置に、対をなす分割台脚５０ａ、５０ｂを有し、冷凍冷蔵ショーケース群を構成する全ての冷凍冷蔵ショーケース１０、１０、・・のショーケース本体２０，２０、・・の下面２０aと前記床面１４との間を、ピット１２の延在方向Ｌに沿って眺めたとき、ピット１２とショーケース本体２０の下面２０aとの間に、図５および図６で示す比較例の冷凍冷蔵ショーケース１００の台脚６８のように、ピット１２を横切る部材が存在することなしに貫通空間（図１のピット上方空間Ｓ３と同じ。）を形成するように設置するものであって、かかる構成を採用することによって、ピット１２内の冷媒配管４０や電気配線４２等を、作業者が視認できるピット上方空間Ｓ３まで持ち上げることができ、新たに冷媒配管４０や電気配線４２を行なうための新設作業や、既に配設されている冷媒配管４０からの漏れ等の不具合の点検、冷媒配管４０の交換等のメンテナンス作業を行なうことが容易な冷凍冷蔵ショーケース１０を提供することができる。
【００３２】
上述したところは、この発明の実施形態の一例を示したにすぎず、特許請求の範囲において種々の変更を加えることができる。例えば、上述した実施形態では、冷凍冷蔵ショーケース１０の冷凍冷蔵室２８の開口スペースＳ２の開放面を、冷気のエアカーテンで覆うように構成された、いわゆるオープンショーケースの場合で説明したが、本発明では、冷凍冷蔵室２８の開口スペースＳ２の一部が、ガラス扉等で閉鎖されるリーチイン型ショーケースになっていてもよい。
【産業上の利用可能性】
【００３３】
本発明によれば、ピット内の冷媒配管や電気配線等を、作業者が視認できるピット上方空間の位置まで持ち上げることができ、ピット内に冷媒配管や電気配線を新たに配設するための新設作業や、既にピット内に配設されている、冷媒配管からの漏れ等の不具合の点検、冷媒配管の交換等のメンテナンス作業を行なうことが容易な冷凍冷蔵ショーケースを提供することが可能になった。
【符号の説明】
【００３４】
１０  冷凍冷蔵ショーケース
１２  ピット
１４  床面
１６  外箱
１８  内箱
２０  ショーケース本体
２２  通風路
２４  送風装置
２６  冷却装置
２８  冷凍冷蔵室
３０、３０ａ、３０ｂ、３０ｃ  棚板
３２  底板
３４  照明器具
３６  冷気吹出口
３８  空気吸込口
３９  オーバキャノピ
４０  冷媒配管
４０ａ  リキッド管
４０ｂ  サクション管
４２  電気配線
４４  ピットの上方領域
４６  ピットの前側領域
４８  ピットの後側領域
５０ａ、５０ｂ  分割台脚
５２  天板部
５４  底板部
５６  側板部
５８  溶接部
６０  スリット
６２  凹部
６４  冷媒配管口
６６  電線貫通口
６８  台脚
７０、７２  貫通孔
１００  冷凍冷蔵ショーケース
Ｌ  ピットの延在方向
Ｓ１  内部空間
Ｓ２  開口スペース
Ｓ３  ピット上方空間
【図１】
0006529252.tif 000002
【図２】
0006529252.tif 000003
【図３】
0006529252.tif 000004
【図４】
0006529252.tif 000005
【図５】
0006529252.tif 000006
【図６】
0006529252.tif 000007